(57)【要約】【課題】画質を向上させるとともに、放射線画像読取装置の電磁波シールド性を高めて、ＥＭＣ対策を向上させる。【解決手段】放射線画像読取装置は、放射線を透過する透過板と、輝尽性蛍光体シートを搭載し、輝尽性蛍光体シートに対向するように透過板を支持するケーシングとを備えている。透過板の輝尽性蛍光体シート側の表面は、導電性材料によって覆われている。【選択図】        図２
2004198794.tif 000002
【特許請求の範囲】
【請求項１】
放射線を透過する透過板と、
輝尽性蛍光体シートを搭載し、前記輝尽性蛍光体シートに対向するように、前記透過板を支持するケーシングとを備え、
前記透過板の前記輝尽性蛍光体シート側の表面は、導電性材料によって覆われていることを特徴とする放射線画像読取装置。
【請求項２】
請求項１記載の放射線画像読取装置において、
前記ケーシングの内面は、導電性材料によって覆われていることを特徴とする放射線画像読取装置。
【請求項３】
請求項２記載の放射線画像読取装置において、
前記透過板を覆う導電性材料と前記ケーシングを覆う導電性材料との隙間は、導電性材料によって充填されていることを特徴とする放射線画像読取装置。
【請求項４】
放射線を透過するとともに散乱線を除去するグリッドと、
前記グリッドの表面に貼着する導電板と、
輝尽性蛍光体シートを搭載し、前記輝尽性蛍光体シートに対向するように、前記グリッドを支持するケーシングとを備え、
前記ケーシングの内面は導電性材料によって覆われ、
前記グリッドの前記導電板と前記ケーシングの導電性材料とが、電気的に接続されていることを特徴とする放射線画像読取装置。
【発明の詳細な説明】
【０００１】
【発明の属する技術分野】
本発明は、放射線画像読取装置に係り、特に電磁波保護を施した放射線画像読取装置に関する。
【０００２】
【従来の技術】
従来より、Ｘ線画像に代表される放射線画像が診断に広く用いられている。この放射線画像を得るための方式としては、被写体を透過させた放射線を増感紙と呼ばれる蛍光体層に照射し、この蛍光体層から放出された可視光をハロゲン化銀写真感光材料に照射し、この感光材料に現像処理を施して可視画像を得る、いわゆる放射線写真方式が提案され、実用化されている。
【０００３】
また、近年においては、前記した放射線写真方式に代えて、照射された放射線エネルギーを蓄積、記録し、励起光を照射すると蓄積、記録された放射線エネルギーに応じて輝尽発光する「輝尽性蛍光体」を用いた放射線画像記録再生方式が提案されている。
【０００４】
この放射線画像記録再生方式には、輝尽性蛍光体に蓄積、記録された放射線エネルギーを電気信号に変換して放射線画像を作成する放射線画像読取装置が用いられている。放射線画像読取装置は、被写体を透過させた放射線を輝尽性蛍光体に照射することによって、被写体各部の放射線透過密度に対応する放射線エネルギーを輝尽性蛍光体に蓄積、記録させた後、励起光によって放射線エネルギーを輝尽発光させ、この輝尽発光光の強弱を電気信号に変換する。そして、この電気信号を、感光材料などの画像記録材料やＣＲＴなどの画像表示装置を介して可視像として再生する。
【０００５】
放射線画像記録再生方式によると、放射線写真方式と比較してきわめて少ない被爆線量で情報量の豊富な放射線画像を得ることができるが、輝尽性蛍光体は、高感度であるがゆえに、被写体を透過する際に散乱した低エネルギーの放射線（散乱線）をも蓄積、記録してしまう。散乱線によって正確な画像情報の蓄積、記録が妨げられると、診断性能の低下など種々の弊害を招く可能性があった。
【０００６】
散乱線を除去するために、放射線画像読取装置には放射線吸収率の高い鉛などからなる放射線吸収層と、放射線吸収率の低いアルミニウム、紙、木、合成樹脂などからなる放射線透過層とを交互に設けた積層体を、放射線吸収率の低い板材で被覆して構成した「グリッド」が使用されており、輝尽性蛍光体（パネル２０）の放射線源側にこのグリッド（グリッド１２）を配置することによって、散乱線を除去していた（例えば特許文献１）。また、グリッドが前側支持部材や胸当て板として機能するように構成した放射線画像読取装置も知られている（例えば特許文献２）。
【０００７】
【特許文献１】
特開平１０−１８６５５３号公報（第３−５頁、第２図）
【特許文献２】
特開平５−５９６５号公報（第３−５頁、第１図）
【０００８】
【発明が解決しようとする課題】
近年、電子機器から発生する電磁波が人体に悪影響を及ぼすおそれがあるとの報告がなされている。このため、人体に伝播する電磁波量を抑制するＥＭＣ対策を電子機器に施すことが望まれており、放射線画像読取装置においても同様のことが望まれている。しかしながら、上記した特許文献１及び特許文献２に記載される放射線画像読取装置においては、内部機器から発生される電磁波のことが考慮されていないため、ＥＭＣ対策としては不十分であった。
【０００９】
本発明の課題は、画質を向上させるとともに、放射線画像読取装置の電磁波シールド性を高めて、ＥＭＣ対策を向上させることを図る。
【００１０】
【課題を解決するための手段】
請求項１記載の発明の放射線画像読取装置は、
放射線を透過する透過板と、
輝尽性蛍光体シートを搭載し、前記輝尽性蛍光体シートに対向するように、前記透過板を支持するケーシングとを備え、
前記透過板の前記輝尽性蛍光体シート側の表面は、導電性材料によって覆われていることを特徴としている。
【００１１】
請求項１記載の発明によれば、導電性材料によって透過板の輝尽性蛍光体シート側の表面が覆われているので、ケーシング内部の電子機器から発生される電磁波は、その一部分が導電性材料にシールドされて、被写体まで伝播する量を低減することができる。このように、電磁波シールド性を高めることで、ＥＭＣ対策を向上させることができる。
また、被写体を透過することにより発生した散乱線は、導電性材料によって効果的に除去されるので、放射線画像の画質を向上させることができる。
【００１２】
請求項２記載の発明は、請求項１記載の放射線画像読取装置において、
前記ケーシングの内面は、導電性材料によって覆われていることを特徴としている。
【００１３】
請求項２記載の発明によれば、導電性材料によってケーシングの内面が覆われているので、透過板を覆う導電性材料だけではシールドできない電磁波をシールドすることができる。したがって、被写体まで伝播する電磁波の量をさらに低減することができる。
【００１４】
請求項３記載の発明は、請求項２記載の放射線画像読取装置において、
前記透過板を覆う導電性材料と前記ケーシングを覆う導電性材料との隙間は、導電性材料によって充填されていることを特徴としている。
【００１５】
請求項３記載の発明によれば、透過板を覆う導電性材料とケーシングを覆う導電性材料との隙間は、導電性材料によって充填されているので、隙間から外部に伝播しようとする電磁波をシールドでき、被写体まで伝播する電磁波の量をさらに低減することができる。
【００１６】
請求項４記載の発明の放射線画像読取装置は、
放射線を透過するとともに散乱線を除去するグリッドと、
前記グリッドの表面に貼着する導電板と、
輝尽性蛍光体シートを搭載し、前記輝尽性蛍光体シートに対向するように、前記グリッドを支持するケーシングとを備え、
前記ケーシングの内面は導電性材料によって覆われ、
前記グリッドの前記導電板と前記ケーシングの導電性材料とが、電気的に接続されていることを特徴としている。
【００１７】
請求項４記載の発明によれば、グリッドの導電板とケーシングの導電性材料が電気的に接続されているので、ケーシング内部の電子機器から発生される電磁波が導電板を介して導電性材料に伝導し、被写体まで電磁波が伝播することを抑制することができる。このように、電磁波シールド性を高めることで、ＥＭＣ対策を向上させることができる。
また、被写体を透過することにより発生した散乱線は、グリッドによって効果的に除去されるので、放射線画像の画質を向上させることができる。
【００１８】
【発明の実施の形態】
［第一の実施の形態］
以下、この発明の第一の実施の形態について、図１〜図７の図面を参照しながら説明する。図１は、本実施形態における放射線画像読取装置１の全体構成を表す概念図である。
【００１９】
本実施形態に係る放射線画像読取装置１は、放射線源３０から照射された放射線が被写体を透過し、輝尽性蛍光体シート２に放射線エネルギーを蓄積・記録させて、その記録された放射線エネルギーを基に放射線画像を作成するものである。
【００２０】
輝尽性蛍光体シート２は、シート状支持体上に輝尽性蛍光体を形成したものである。
シート状支持体は、取り扱い上、ウール、コットン、紙、プラスチックフィルムなどの可撓性を有する材料で作成するのが好ましい。
輝尽性蛍光体は、照射された放射線エネルギーを蓄積し、その後励起光が照射されると、蓄積されていた放射線エネルギーに応じて輝尽発光するものである。輝尽性蛍光体としては、米国特許３８５９５２７号明細書に記載されている希土類不活硫化ストロンチウム系又は輝度類不活ランタンオキシサルファイド系蛍光体、米国特許第４２３６０７８号明細書に記載されている希土類付活アルカリ土類金属フルオロハライド系蛍光体、特開昭５５−１２１４４号公報に記載されている希土類付活ランタンオキシハライド系蛍光体、特開昭５５−１２１４２号公報に記載されている銅および／又は鉛付活硫化亜鉛系、希土類付活アルミナ・酸化バリウム系又はシリカ・酸化アルカリ土類金属系蛍光体などが挙げられる。
【００２１】
以下、図１を参照にして、放射線画像読取装置１について詳細に説明する。
放射線画像読取装置１には、図１に示すように、撮影時に輝尽性蛍光体シート２に対して対向するように被写体Ｐの撮影部位が当接されるカバー部材３が、その外装を形成している。カバー部材３の内部には、輝尽性蛍光体シート２を放射線の照射方向に対して略垂直となるように支持する支持体４が設けられている。そして、支持体４の後方（図では右側）には、輝尽性蛍光体シート２に記録された放射線エネルギーを読み取るための読取装置５が設けられている。また、支持体４の上方には、読取装置５により放射線エネルギーが読み取られた後に輝尽性蛍光体シート２に残存する放射エネルギーを消去する消去装置６が設けられている。このように、カバー部材３は、支持体４、読取装置５、消去装置６を搭載して各部を物理的及び光学的に保護している。
【００２２】
読取装置５には、輝尽性蛍光体シート２に励起光を照射して、記録された放射エネルギーを輝尽発光させる励起光源５１が、輝尽性蛍光体シート２の後方で上下方向に往復移動可能に配設されている。また、読取装置５には、透明なアクリル板からなる導光板５２により導かれた輝尽発光光を光量に応じて電気信号に変換する光電変換装置５３が設けられている。
【００２３】
カバー部材３の外部には、光電変換装置５３によって変換された電気信号をＡ／Ｄ変換し、デジタル画像信号を得る画像処理装置７が、光電変換装置５３と電気的に接続されている。
画像処理装置７には、デジタル画像信号を放射線画像として出力する画像出力装置８が電気的に接続されている。画像出力装置８としては、ＣＲＴや液晶ディスプレイなどの放射線画像を表示する機器の他、インクジェットプリンタなどの放射線画像を記録媒体に記録する機器などが挙げられる。
【００２４】
次に、カバー部材３について図２及び図３を参照にして詳細に説明する。図２は、カバー部材３の後面図であり、図３は、カバー部材３の断面図である。
【００２５】
カバー部材３の前面には、放射線を透過する透過板３１と、輝尽性蛍光体シート２を搭載し輝尽性蛍光体シート２に対向するように透過板３１を支持するケーシング３２とが設けられている。
【００２６】
透過板３１は、放射線の透過を阻害しないように、放射線透過率が高い材料で形成されている。また、被写体Ｐの撮影部位が接触するので、その接触圧力に耐えうるだけの剛性を有する材料で形成されている。
放射線透過率が高く、かつ、剛性の高い材料としては、アルミニウム、炭素繊維強化樹脂、アクリル樹脂、フェノール樹脂、ポリイミド樹脂、これらの樹脂トアルミニウムとの複合材などが挙げられる。
そして、放射線透過率は、透過板３１の厚みにも影響するので、透過板３１の厚みを１〜５ｍｍ程度にするのが好ましい。
【００２７】
透過板３１の輝尽性蛍光体シート２側の表面は、銅箔３１１によって覆われている。銅は、導電性材料であるため、カバー部材３内の各種機器から放出される電磁波を吸収し、被写体Ｐに到達する電磁波の量を低減する。
【００２８】
銅箔３１１について図４〜図６を参照にして説明する。図４は、銅箔３１１の放射線透過率を説明するための説明図である。図５は、銅箔３１１の製法を説明するための概念図である。図６は、銅箔３１１の柱状構造を示すための拡大断面図である。
【００２９】
銅箔３１１の表面から任意に抽出した面積１ｍｍ2の局所部分３１１ａ（図４（ａ）参照）の平均放射線透過率は、全表面積における平均放射線透過率の１／２倍〜２倍とされている。すなわち、任意に複数抽出した局所部分（抽出番号ｎ）毎の平均放射線透過率Ｔｎを、縦軸が放射線透過率Ｔで横軸が抽出番号ｎの図４（ｂ）のグラフにプロットすると、プロットした各点は領域Ｒ（０．５Ｔｍ≦Ｔ≦２Ｔｍ、Ｔｍ：銅箔３１１の全表面積における平均放射線透過率）内に分布することとなる。これは、銅箔３１１の放射線透過率が全表面にわたって比較的均一であることを示している。
【００３０】
銅箔３１１の厚さは、５μｍ以上２００μｍ以下とする。厚さが５μｍ未満であると、前記した散乱線除去機能を充分に果たさないので好ましくない。また、厚さが２００μｍよりも大きいと、この銅箔３１１による散乱線が放射線画像に悪影響を与えるので好ましくない。本実施の形態においては、銅箔３１１の厚さを１２μｍと設定している。
【００３１】
銅箔３１１は、電解液５０から回転ドラム６０に電着させた金属を剥離させて巻き取る電解液法（図５参照）や、多段圧延機で金属条を圧延する圧延法などによって製作することができる。本実施の形態では電解液法を採用しており、この電解液法で製作された銅箔３１１は、図６にその断面を示すように、柱状構造３１１ｂを有するものとなる。このため、柱状方向に平行な放射線を効率的に透過させることができ、かつ、柱状方向に平行でない散乱線を効果的に遮断することができる。
【００３２】
なお、本実施形態では透過板３１を覆う導電性材料として銅を例示しているが、銅でなくとも、原子番号２０以上の金属又は実行原子番号２０以上の合金から構成されていてもよい。例えば、Ｎｉ、Ｆｅ、Ｐｂ、Ｚｎ、Ｗ、Ｍｏ、Ａｕ、Ａｇ、Ｂａ、Ｔａ、Ｃｄ、Ｔｉ、Ｚｒ、Ｖ、Ｎｂ、Ｃｒ、Ｃｏ及びＳｎなどの原子番号２０以上の金属のうち少なくとも１種、又はこれら金属の合金から構成される。これら金属又は合金は、低エネルギーの放射線を吸収するものであるので、散乱線を効率的に吸収して除去することができる。
【００３３】
ここで、「実行原子番号」とは、合金を構成する各金属の原子番号をモル比に基づいて平均化したときの原子番号を意味する。例えば、Ｃｏ（原子番号２７）とＣｕ（原子番号２９）のモル比が１：１で構成された合金の場合、実行原子番号は２８となる。
【００３４】
また、本実施形態では、銅箔３１１を透過板３１表面に貼付させて、導電性材料で透過板３１を覆っているが、導電性材料が透過板３１の表面を覆うのであればこれ以外の手法を用いても良く、例えば、透過板３１を導電性材料でメッキしたり、透過板３１表面に導電性材料を塗布又は散布したりすることが挙げられる。
【００３５】
次に、ケーシング３２について図２及び図３を参照に説明をする。
ケーシング３２の輝尽性蛍光体シート２と対向する部分には、透過板３１と同形状で透過板３１よりも僅かに大きく開口する開口部３２１が設けられている。この開口部３２１に透過板３１が嵌め込まれて、開口部３２１と透過板３１の間に隙間が形成されないように接着等により固定されている。これにより、ケーシング３２内部の遮光性が確保されている。
【００３６】
また、ケーシング３２の内面は、各種機器から放出される電磁波を吸収するために、導電性材料からなる導電層３２２によって覆われている。
導電層３２２は、銅系塗料（例えば、神東塗料株式会社製、商品名シトロンＥ−３３１５等）を塗布することで形成しているが、導電層３２２を形成する導電性材料は、導電性を有する材料であれば如何なるものでもよく、例えば、金属、導電性樹脂、導電性インク等が挙げられる。また、導電層３２２の形成方法としては、塗布以外にも、例えば、ケーシング３２を導電性材料でメッキしたり、ケーシング３２の内面に導電性材料を散布したりすることが挙げられる。
【００３７】
ケーシング３２の導電層３２２と透過板３１の銅箔３１１の境目には、導電性材料からなるシーリング材３３が、両者の隙間に充填されるように塗布されている。本実施形態で用いられるシーリング材３３は、例えば、東レ・ダウコーニング・シリコーン株式会社製、商品名ＳＥ５０８５ＥＣ−ＲＴＶ又は信越化学工業株式会社製、商品名ＫＥ−４５７６等であるが、これらに限らず導電性を有し前記隙間を埋めることができるのであれば、如何なるものであってもよい。
【００３８】
ケーシング３２の外面であって開口部３２１の開口縁上下位置には、散乱線を除去する板状のグリッド４０を着脱自在に保持する保持片３２３が、ケーシング３２の外面に対して所定の間隔を有するようにほぼＬ字状にそれぞれ設けられている。保持片３２３のケーシング３２の外面との間に形成された溝３２４は、それぞれ水平方向に並列して配置されるようになっている。そして、グリッド４０の取付時においては、保持片３２３の側方からグリッド４０の上下の端部を溝３２４と係合させて、グリッド４０をスライドさせることで、ケーシング３２に取り付けることができ、グリッド４０の取り外し時には、グリッド４０をスライドさせれば、ケーシング３２から取り外すことができるようになっている。このように、グリッド４０が透過板３１よりも外側に配置されているので、グリッドの交換を容易に行うことができる。
【００３９】
次に、グリッド４０について図７を参照にして説明する。図７はグリッド拡大断面図である。
【００４０】
グリッド４０は、例えば鉛などの放射線吸収率の高い金属からなる放射線吸収層４１と、例えばアルミニウム、紙、木、合成樹脂など放射線吸収率の低い材料からなる放射線透過層４２とを交互に設けた積層体４３を、放射線吸収率が低く導電性を有する一対の導電板４４で挟んで形成されている。そして、グリッド４０を透過する放射線のうち、散乱線の大部分は放射線吸収層４１で吸収されて、放射線透過層４２を透過した放射線のみが輝尽性蛍光体シート２に照射される。
【００４１】
次に、本実施形態の作用、動作について図１及び図３を参照にして説明する。
【００４２】
先ず、作業者は放射線画像読取装置１を起動する。この際、放射線画像読取装置１の内部機器（読取装置５、消去装置６）からは電磁波が発生するが、この電磁波は、銅箔３１１、シーリング材３３、導電層３２２によりほとんど吸収されて、人体に影響を及ぼさない程度の量がカバー部材３外部へと放出されることとなる。
そして、撮影の開始に伴い、被写体Ｐの撮影部位をグリッド４０に接触させた状態で、作業者は放射線の照射を開始させる。放射線は、被写体Ｐを透過する際に散乱線が発生してしまうものの、この散乱線の多くがグリッド４０により吸収される。また、グリッド４０でも吸収しきれなかった散乱線は、銅箔３１１により吸収される。このため、輝尽性蛍光体シート２に蓄積・記録される散乱線の照射量は低減されることとなり、画質の高い放射線画像を得ることができる。
【００４３】
以上のように、この第一の実施の形態の放射線画像読取装置１によれば、銅箔３１１によって透過板３１の輝尽性蛍光体シート２側の表面が覆われているので、読取装置５や消去装置６から発生される電磁波は、その一部分が銅箔３１１にシールドされて、被写体まで伝播する量を低減することができる。このように、電磁波シールド性を高めることで、ＥＭＣ対策を向上させることができる。
また、ケーシング３２の内面は、導電層３２２により覆われているので、透過板３１を覆う銅箔３１１だけではシールドできない電磁波をシールドすることができる。したがって、被写体まで伝播する電磁波の量をさらに低減することができる。
さらに、銅箔３１１と導電層３２２との隙間は、シーリング材３３によって充填されているので、前記隙間から外部に伝播しようとする電磁波をシールドでき、被写体Ｐまで伝播する電磁波の量をさらに低減することができる。
【００４４】
［第二の実施の形態］
次に、第二の実施の形態に係る放射線画像読取装置について、図８を用いて説明する。本実施形態に係る放射線画像読取装置は、第一の実施の形態に係る放射線画像読取装置１において、カバー部材３を変更したものであり、その他の構成については実質的に同一である。このため、以下の説明において、第一の実施の形態に係る放射線画像読取装置１と共通の構成については、同一の符号を付して説明する。
【００４５】
図８は、第二の実施の形態にかかるカバー部材３Ａの断面図である。
カバー部材３Ａには、透過板３１ａ及びグリッド４０を一体的に重ねた状態で、輝尽性蛍光体シート２に対向するように支持するケーシング７０が設けられている。
ケーシング７０の輝尽性蛍光体シート２と対向する部分には、透過板３１ａ及びグリッド４０を支持するために、透過板３１ａ及びグリッド４０と同形状で僅かに大きく開口する開口部７１が設けられている。開口部７１の内周面には、透過板３１ａの外面とケーシング７０の外面とが面一となるように、透過板３１ａ及びグリッド４０の移動を規制する規制壁７２が設けられている。また、ケーシング７０の内面及び規制壁７２の表面は、導電性材料からなる導電層７３によって覆われている。
【００４６】
開口部７１に、グリッド４０を内側にして透過板３１ａ及びグリッド４０が入れ込まれると、規制壁７２にグリッド４０が接触し、透過板３１ａ及びグリッド４０は所定の位置に配置される。そして、規制壁７２表面の導電層７３とグリッド４０の導電板４４とが接触して、両者が電気的に接続されるので、読取装置５や消去装置６から発生される電磁波は、導電板４４を介して導電層７３に伝導する。
【００４７】
以上のように、この第二の実施の形態の放射線画像読取装置によれば、ケーシング７０内部から発生される電磁波は、導電層７３に伝導するため、被写体Ｐまで電磁波が伝播することを抑制することができる。したがって、電磁波シールド性が高まり、ＥＭＣ対策を向上させることができる。
また、被写体Ｐを透過することにより発生した散乱線は、グリッド４０によって効果的に除去されるので、放射線画像の画質を向上させることができる。
【００４８】
なお、透過板３１ａ及びグリッド４０は、ケーシング７０に固定されていてもよいが、グリッド４０の交換を考慮するのであれば、両者を着脱自在にケーシング７０に取り付けることが好ましい。この場合、透過板３１ａ及びグリッド４０をケーシング７０から着脱自在にするのであれば、周知の取付方法のいずれの方法を用いてもかまわない。なお交換後においては、ケーシング７０内部の遮光性が確保されていなければならない。
また、透過板３１ａ及びグリッド４０が、ケーシング７０に固定される構成であれば、導電板４４と導電層７３の隙間をシーリング材３３で埋めれば、さらにＥＭＣ対策を向上させることができる。
【００４９】
なお、本発明は上記実施の形態に限らず適宜変更可能であるのは勿論である。例えば、第一の実施の形態では、グリッド４０がカバー部材３の外側に配置される構成を例示したが、グリッド４０がカバー部材３内部で、透過板３１と輝尽性蛍光体シート２との間に配置されている場合においても、ＥＭＣ対策及び画質を高めることが可能である。
また、第二の実施の形態では、透過板３１とグリッド４０とが一体的に形成されているものを用いているが、グリッド４０単体で被写体Ｐを保持することができるようにグリッド４０の剛性を高めておけば、グリッド４０だけであってもＥＭＣ対策及び画質を高めた放射線画像読取装置を提供することができる。特に、透過板３１が不必要となるので製造コストも低減できる。
【００５０】
【発明の効果】
請求項１記載の発明によれば、ケーシング内部の電子機器から発生される電磁波は、その一部分が導電性材料にシールドされて、被写体まで伝播する量を低減することができる。このように、電磁波シールド性を高めることで、ＥＭＣ対策を向上させることができる。
また、被写体を透過することにより発生した散乱線は、導電性材料によって効果的に除去されるので、放射線画像の画質を向上させることができる。
【００５１】
請求項２記載の発明によれば、透過板を覆う導電性材料だけではシールドできない電磁波をシールドすることができる。したがって、被写体まで伝播する電磁波の量をさらに低減することができる。
請求項３記載の発明によれば、透過板を覆う導電性材料とケーシングを覆う導電性材料との隙間から外部に伝播しようとする電磁波をシールドでき、被写体まで伝播する電磁波の量をさらに低減することができる。
【００５２】
請求項４記載の発明によれば、ケーシング内部の電子機器から発生される電磁波が導電板を介して導電性材料に伝導して、被写体まで電磁波が伝播することを抑制することができる。このように、電磁波シールド性を高めることで、ＥＭＣ対策を向上させることができる。
また、被写体を透過することにより発生した散乱線は、グリッドによって効果的に除去されるので、放射線画像の画質を向上させることができる。
【図面の簡単な説明】
【図１】第一の実施の形態における放射線画像読取装置の全体構成を表す概念図である。
【図２】図１の放射線画像読取装置に備わるカバー部材を表す後面図である。
【図３】図２のカバー部材の断面図である。
【図４】図２のカバー部材に備わる銅箔の放射線透過率を説明するためのものであり、（ａ）は銅箔表面から任意に抽出した面積１ｍｍ2の局所部分を示す概念図、（ｂ）は各局所部分における平均放射線透過率を示すグラフである。
【図５】図４の銅箔の製法（電解液法）を説明するための概念図である。
【図６】図４の銅箔の柱状構造を示すための拡大断面図である。
【図７】図１の放射線画像読取装置に備わるグリッドを表す拡大断面図である。
【図８】第二の実施の形態における放射線画像読取装置に備わるカバー部材を表す断面図である。
【符号の説明】
１      放射線画像読取装置
２      輝尽性蛍光体シート
３１      透過板
３１ａ    透過板
３２      ケーシング
３３      シーリング材（導電性材料）
４０      グリッド
４４      導電板
７０      ケーシング
７３      導電層（導電性材料）
３１１      銅箔（導電性材料）
３２２      導電層（導電性材料）
【図１】
2004198794.tif 000003
【図２】
2004198794.tif 000004
【図３】
2004198794.tif 000005
【図４】
2004198794.tif 000006
【図５】
2004198794.tif 000007
【図６】
2004198794.tif 000008
【図７】
2004198794.tif 000009
【図８】
2004198794.tif 000010